Podtech/llm-jp-corpus-v4-ja_patent huggingface dataset:
【手続補正書】
【提出日】平成21年11月2日(2009.11.2)
【手続補正１】
【補正対象書類名】特許請求の範囲
【補正対象項目名】全文
【補正方法】変更
【補正の内容】
【特許請求の範囲】
【請求項１】
発振されるべき電磁波に対して利得を有する利得部を有する第1誘電体部を挟んで、第1導体部と、各部に対して基準の電位を規定するための接地導体部が積層された、伝送線路型の第1共振部と、
前記第1共振部に対し、第2誘電体部を挟んで、電磁波を外部に放射する第2導体部が積層され、前記接地導体部と前記第2導体部の間の構成でもってアンテナとして機能する第2共振部と、
を備え、
前記第1共振部の前記第1導体部と前記第2共振部の前記第2導体部は、前記第2誘電体部、または前記第2誘電体部と前記接地導体部を介して、積層方向に分離配置されており、
前記第1共振部と前記第2共振部は、電磁界的な結合を有して、前記電磁波に共振を起こさせる共振回路を構成する様に、配置されている、
ことを特徴とするアクティブアンテナ発振器。
【請求項２】
発振されるべき電磁波に対して利得を持つ利得部を有する第1誘電体部を挟んで、第1導体部と、各部に対して基準の電位を規定するための接地導体部が積層された、伝送線路型の第1共振部と、
前記第1共振部に対し、第2誘電体部を挟んで、電磁波を外部に放射する第2導体部が積層され、前記接地導体部と前記第2導体部の間の構成でもってアンテナとして機能する第2共振部と、
を備え、
前記第1共振部の前記第1導体部と前記第2共振部の前記第2導体部は、前記第2誘電体部中、または前記第2誘電体部と前記接地導体部の積層方向に伸びて形成された、1つまたは複数の調整用導体によって接続され、
前記第1共振部と前記第2共振部は、電磁界的な結合を有して、前記電磁波に共振を起こさせる共振回路を構成する様に、配置されている、
ことを特徴とするアクティブアンテナ発振器。
【請求項３】
請求項1または2に記載のアクティブアンテナ発振器を作製する作製方法であって、
アクティブアンテナ発振器の発振状態を監視し、
前記発振状態を監視しつつ、所期の発振条件を満たす様に、前記第1共振部と前記第2共振部の構成要素を調整する、
ことを特徴とするアクティブアンテナ発振器の作製方法。
【請求項４】
請求項2に記載のアクティブアンテナ発振器を作製する作製方法であって、
前記第2誘電体部の界面に露出する前記調整用導体の端面をアライメントマーカとして利用して、前記第2導体部を配置する、
ことを特徴とするアクティブアンテナ発振器の作製方法。
【手続補正書】
【提出日】平成21年5月13日(2009.5.13)
【手続補正１】
【補正対象書類名】特許請求の範囲
【補正対象項目名】全文
【補正方法】変更
【補正の内容】
【特許請求の範囲】
【請求項１】
電子番組ガイド情報を取得する取得部と、
推奨番組識別情報と、この推奨番組識別情報が表す推奨番組のランキング情報と、を含む推奨番組情報を受信する受信部と、
前記取得された電子番組ガイド情報に基づいて、前記推奨番組とこの推奨番組のランキング情報とを含む電子番組ガイドを表示する表示部と、
を具備することを特徴とする受信装置。
【請求項２】
前記受信される推奨番組情報が、前記推奨番組のジャンル情報と、このジャンル情報が表すジャンル内での前記推奨番組のランキング情報を含み、
前記表示部が前記ジャンルとこのジャンル内での前記推奨番組のランキング情報を表示することを特徴とする請求項１記載の受信装置。
【請求項３】
前記受信される推奨番組情報を記憶する不揮発性メモリをさらに具備し、
前記受信装置が起動してから電子番組ガイドが最初に表示されるときには、前記表示部が前記記憶された電子番組ガイド情報に基づいて電子番組ガイドを表示することを特徴とする請求項１または２に記載の受信装置。
【請求項４】
推奨番組情報を送信する送信部をさらに具備することを特徴とする請求項１乃至３のいずれか１項に記載の受信装置。
【請求項５】
前記受信した推奨番組情報と前記取得した電子番組ガイド情報とを比較する比較部、をさらに具備し、
前記表示部が前記比較部での比較結果および前記取得された電子番組ガイド情報に基づいて、電子番組ガイドを表示する
ことを特徴とする請求項１乃至４のいずれか１項に記載の受信装置。
【請求項６】
電子番組ガイド情報を取得するステップと、
推奨番組識別情報と、この推奨番組識別情報が表す推奨番組のランキング情報と、を含む推奨番組情報を受信するステップと、
前記取得された電子番組ガイド情報に基づいて、前記推奨番組とこの推奨番組のランキング情報とを含む電子番組ガイドを表示するステップと、
を具備することを特徴とする受信方法。
【請求項７】
前記受信される推奨番組情報が前記推奨番組のジャンル情報と、このジャンル情報が表すジャンル内での前記推奨番組のランキング情報を含み、
前記表示するステップにおいて、前記ジャンルとこのジャンル内での前記推奨番組のランキング情報が表示されることを特徴とする請求項６記載の受信方法。
【請求項８】
前記受信される推奨番組情報を不揮発性メモリに記憶させるステップをさらに具備し、
前記受信装置が起動してから電子番組ガイドが最初に表示されるときには、前記表示するステップにおいて、前記記憶された電子番組ガイド情報に基づいて電子番組ガイドが表示されることを特徴とする請求項６または７に記載の受信方法。
【請求項９】
推奨番組情報を送信するステップをさらに具備することを特徴とする請求項６乃至８のいずれか１項に記載の受信方法。
【請求項１０】
前記受信した推奨番組情報と前記取得した電子番組ガイド情報とを比較するステップ、をさらに具備し、
前記表示するステップにおいて、前記比較するステップでの比較結果および前記取得された電子番組ガイド情報に基づいて、電子番組ガイドを表示する
ことを特徴とする請求項６乃至９のいずれか１項に記載の受信方法。
【手続補正２】
【補正対象書類名】明細書
【補正対象項目名】０００４
【補正方法】変更
【補正の内容】
【０００４】
本発明の一態様に係る受信装置は、電子番組ガイド情報を取得する取得部と、推奨番組識別情報と、この推奨番組識別情報が表す推奨番組のランキング情報と、を含む推奨番組情報を受信する受信部と、前記取得された電子番組ガイド情報に基づいて、前記推奨番組とこの推奨番組のランキング情報とを含む電子番組ガイドを表示する表示部と、を具備することを特徴とする。
【手続補正３】
【補正対象書類名】明細書
【補正対象項目名】０００５
【補正方法】変更
【補正の内容】
【０００５】
本発明の一態様に係る受信方法は、電子番組ガイド情報を取得するステップと、推奨番組識別情報と、この推奨番組識別情報が表す推奨番組のランキング情報と、を含む推奨番組情報を受信するステップと、前記取得された電子番組ガイド情報に基づいて、前記推奨番組とこの推奨番組のランキング情報とを含む電子番組ガイドを表示するステップと、を具備することを特徴とする。
【手続補正書】
【提出日】平成21年6月26日(2009.6.26)
【手続補正１】
【補正対象書類名】特許請求の範囲
【補正対象項目名】全文
【補正方法】変更
【補正の内容】
【特許請求の範囲】
【請求項１】
撮像装置によって撮影された画像を印刷する際の画像処理方法であって、
前記撮像装置による撮影情報が付与された画像を入力する画像入力ステップと、
前記画像内における特徴領域を抽出する特徴領域抽出ステップと、
前記撮影情報から前記画像内における合焦位置を抽出する合焦位置抽出ステップと、
前記画像内において前記合焦位置が前記特徴領域に重なるか否かを判定する合焦判定ステップと、
前記合焦判定ステップにおいて前記合焦位置が前記特徴領域に重なると判定された場合に、前記画像を印刷する印刷実行ステップと、
を有することを特徴とする画像処理方法。
【請求項２】
さらに、前記合焦判定ステップで前記合焦位置が前記特徴領域に重ならないと判定された場合に報知する報知ステップを有することを特徴とする請求項１記載の画像処理方法。
【請求項３】
さらに、前記報知ステップによる報知後、ユーザ指示に応じて前記画像の印刷の可否を制御する印刷指示ステップを有することを特徴とする請求項２記載の画像処理方法。
【請求項４】
前記報知ステップにおいては、前記画像が印刷に不適切である旨を警告表示することを特徴とする請求項２または３記載の画像処理方法。
【請求項５】
前記報知ステップにおいては、前記画像が印刷に不適切である旨を示す警告マークを該画像に付加して表示することを特徴とする請求項２乃至４のいずれか１項に記載の画像処理方法。
【請求項６】
前記特徴領域は、人物を示す領域であることを特徴とする請求項１乃至５のいずれか１項に記載の画像処理方法。
【請求項７】
前記特徴領域は、顔領域であることを特徴とする請求項６記載の画像処理方法。
【請求項８】
前記合焦位置は、前記撮像装置が有する複数の焦点調節ポイントのいずれかであることを特徴とする請求項１乃至７のいずれか１項に記載の画像処理方法。
【請求項９】
撮像装置によって撮影された画像を印刷する画像処理装置であって、
前記撮像装置による撮影情報が付与された画像を入力する画像入力手段と、
前記画像内における特徴領域を抽出する特徴領域抽出手段と、
前記撮影情報から前記画像内における合焦位置を抽出する合焦位置抽出手段と、
前記画像内において前記合焦位置が前記特徴領域に重なるか否かを判定する合焦判定手段と、
前記合焦判定手段で前記合焦位置が前記特徴領域に重なると判定された場合に、前記画像を印刷する印刷手段と、
を有することを特徴とする画像処理装置。
【請求項１０】
さらに、前記合焦判定手段で前記合焦位置が前記特徴領域に重ならないと判定された場合に報知する報知手段を有することを特徴とする請求項９記載の画像処理装置。
【請求項１１】
さらに、前記報知手段による報知後、ユーザ指示に応じて前記画像の印刷の可否を制御する印刷指示手段を有することを特徴とする請求項１０記載の画像処理装置。
【請求項１２】
前記報知手段は、前記画像が印刷に不適切である旨を警告表示することを特徴とする請求項１０または１１記載の画像処理装置。
【請求項１３】
前記報知手段は、前記画像が印刷に不適切である旨を示す警告マークを該画像に付加して表示することを特徴とする請求項１０乃至１２のいずれか１項に記載の画像処理装置。
【請求項１４】
前記特徴領域は、人物を示す領域であることを特徴とする請求項９乃至１３のいずれか１項に記載の画像処理装置。
【請求項１５】
前記特徴領域は、顔領域であることを特徴とする請求項１４記載の画像処理装置。
【請求項１６】
前記合焦位置は、前記撮像装置が有する複数の焦点調節ポイントのいずれかであることを特徴とする請求項９乃至１５のいずれか１項に記載の画像処理装置。
【請求項１７】
コンピュータに請求項１乃至８のいずれか１項に記載の画像処理方法の各ステップを実行させるためのプログラム。
【請求項１８】
コンピュータに請求項１乃至８のいずれか１項に記載の画像処理方法の各ステップを実行させるためのプログラムを記録したコンピュータ読み取り可能な記録媒体。
【手続補正２】
【補正対象書類名】明細書
【補正対象項目名】０００４
【補正方法】変更
【補正の内容】
【０００４】
また、デジタルカメラの性能向上に応じて、撮影画像を記録するメモリカード等の記憶媒体の大容量化、低価格化も著しく、一度に撮影記録できる画像データ数も増加している。
【手続補正３】
【補正対象書類名】明細書
【補正対象項目名】００４９
【補正方法】変更
【補正の内容】
【００４９】
さらに、プリント可否選択を行わずに複数画像の連続プリントを行う場合には、プリント対象となる複数画像のサムネイルを、非プリント画像である旨を示すマークを付与してディスプレイ７に表示することも有効である。また、画像データに非プリントであった旨を示す付加情報を記録することも有効である。
【手続補正書】
【提出日】平成21年6月27日(2009.6.27)
【手続補正１】
【補正対象書類名】特許請求の範囲
【補正対象項目名】全文
【補正方法】変更
【補正の内容】
【特許請求の範囲】
【請求項１】
第１の様式に基づいて記載されたファイルを読み込むファイル読込手段と、
前記ファイル読込手段により読み込まれたファイルに基づいて生成された画面に配置された構成要素の位置情報を生成する位置情報生成手段と、
前記位置情報生成手段により生成された位置情報を含むファイルであって放送のための第２の様式に基づいて記載されたものを生成するファイル生成手段と
を有する放送データ生成装置。
【請求項２】
第１の様式に基づいて記載されたファイルを読み込むファイル読込手段と、
前記ファイル読込手段により読み込まれたファイルに基づいて生成された画面に配置された構成要素のサイズを放送のためのサイズに補正するサイズ補正手段と、
前記サイズ補正手段により補正されたサイズを含むファイルであって放送のための第２の様式に基づいて記載されたものを生成するファイル生成手段と
を有する放送データ生成装置。
【請求項３】
第１の様式に基づいて記載されたファイルを読み込むファイル読込手段と、
前記ファイル読込手段により読み込まれたファイルに基づいて生成された画面において指定された構成要素の属性に基づいて該構成要素に関する制御情報を割り当てる制御情報割当手段と、
前記制御情報割当手段により割り当てられた制御情報を含むファイルであって放送のための第２の様式に基づいて記載されたものを生成するファイル生成手段と
を有する放送データ生成装置。
【請求項４】
第１の様式に基づいて記載されたファイルを読み込むファイル読込手段と、
前記ファイル読込手段により読み込まれたファイルに基づいて生成された画面に配置された構成要素の位置情報を生成する位置情報生成手段と、
前記ファイル読込手段により読み込まれたファイルに基づいて生成された画面に配置された構成要素のサイズを放送のためのサイズに補正するサイズ補正手段と、
前記ファイル読込手段により読み込まれたファイルに基づいて生成された画面において指定された構成要素の属性に基づいて該構成要素に関する制御情報を割り当てる制御情報割当手段と、
前記位置情報生成手段により生成された位置情報、前記サイズ補正手段により補正されたサイズ及び前記制御情報割当手段により割り当てられた制御情報の少なくともいずれかを含むファイルであって放送のための第２の様式に基づいて記載されたものを生成するファイル生成手段と
を有する放送データ生成装置。
【請求項５】
第１の様式に基づいて記載されたファイルを読み込み、
前記読み込まれたファイルに基づいて生成された画面に配置された構成要素の位置情報を生成し、
前記生成された位置情報を含むファイルであって放送のための第２の様式に基づいて記載されたものを生成する
放送データ生成方法。
【請求項６】
コンピュータを含む放送データ生成装置において、
第１の様式に基づいて記載されたファイルを読み込むファイル読込ステップと、
前記読み込まれたファイルに基づいて生成された画面に配置された構成要素の位置情報を生成する位置情報生成ステップと、
前記生成された位置情報を含むファイルであって放送のための第２の様式に基づいて記載されたものを生成するファイル生成ステップと
を前記放送データ生成装置のコンピュータに実行させるプログラム。
【手続補正書】
【提出日】平成21年6月29日(2009.6.29)
【手続補正１】
【補正対象書類名】特許請求の範囲
【補正対象項目名】全文
【補正方法】変更
【補正の内容】
【特許請求の範囲】
【請求項１】
行アドレスと列アドレスで指定される複数の画素を有し、有効画素領域と無効画素領域を含む撮像素子と、
前記有効画素領域および前記無効画素領域において、前記行アドレスを走査して当該行アドレスに属する画素を初期化する初期化手段と、
少なくとも前記有効画素領域において、前記初期化手段で初期化してから露光時間が経過した時点で、前記初期化後の行アドレスを走査して当該行アドレスに属する画素を読み出す読み出し手段と、
露光時間の切り換え制御を行う切換手段と、
前記切換手段は、
前記初期化手段が前記有効画素領域内において初期化動作を行っている期間中は、露光時間の切り換え制御をしない一方、
前記初期化手段が前記無効画素領域内において初期化動作を行っている期間中において、露光時間の切り換え制御が可能である、
撮像装置。
【請求項２】
前記無効画素領域は、ＯＢ（Ｏｐｔｉｃａｌ  Ｂｌａｃｋ）領域を含む、
ことを特徴とする請求項１に記載の撮像装置。
【請求項３】
前記初期化手段は、１フレームの読み出し期間中に前記無効画素領域に属する画素を複数回初期化する、
ことを特徴とする請求項１または２に記載の撮像装置。
【請求項４】
行アドレスと列アドレスで指定される複数の画素を有し、撮像領域とダミー領域を含む撮像素子と、
前記行アドレスを走査して当該行アドレスに属する画素を初期化する初期化手段と、
前記行アドレスを走査して当該行アドレスに属する画素を読み出す読み出し手段と、
前記初期化手段が画素の初期化を行ってから前記読み出し手段が画素を読み出すまでの露光時間の切り換えを、前記初期化手段が前記ダミー領域を走査している期間に行うように制御する露光時間制御手段と、
を有する撮像装置。
【請求項５】
前記初期化手段は、１フレームの読み出し期間中に前記ダミー領域に属する画素を複数回初期化する、
ことを特徴とする請求項４に記載の撮像装置。
【請求項６】
行アドレスと列アドレスで指定される複数の画素を有し、有効画素領域と無効画素領域を含む撮像素子の、
前記行アドレスを走査して当該行アドレスに属する画素を初期化する初期化工程と、
前記行アドレスを走査して当該行アドレスに属する画素を読み出す読み出し工程と、
前記初期化工程が画素の初期化を行ってから前記読み出し工程が画素を読み出すまでの露光時間の切り換えを、前記初期化工程が前記無効画素領域を走査している期間に行うように制御する露光時間制御方法。
【請求項７】
前記無効画素領域は、ＯＢ（Ｏｐｔｉｃａｌ  Ｂｌａｃｋ）領域を含む、
ことを特徴とする請求項６に記載の露光時間制御方法。
【請求項８】
前記初期化工程は、１フレームの読み出し期間中に前記無効画素領域に属する画素を複数回初期化する、
ことを特徴とする請求項６または７に記載の露光時間制御方法。
【請求項９】
行アドレスと列アドレスで指定される複数の画素を有し、撮像領域とダミー領域を含む撮像素子の、
前記行アドレスを走査して当該行アドレスに属する画素を初期化する初期化工程と、
前記行アドレスを走査して当該行アドレスに属する画素を読み出す読み出し工程と、
前記初期化工程が画素の初期化を行ってから前記読み出し工程が画素を読み出すまでの露光時間の切り換えを、前記初期化工程が前記ダミー領域を走査している期間に行うように制御する露光時間制御方法。
【請求項１０】
前記初期化工程は、１フレームの読み出し期間中に前記ダミー領域に属する画素を複数回初期化する、
ことを特徴とする請求項９に記載の露光時間制御方法。
【手続補正２】
【補正対象書類名】明細書
【補正対象項目名】００１４
【補正方法】変更
【補正の内容】
【００１４】
上記目的を達成するために、本発明の撮像装置は、行アドレスと列アドレスで指定される複数の画素を有し、有効画素領域と無効画素領域を含む撮像素子と、前記有効画素領域および前記無効画素領域において、前記行アドレスを走査して当該行アドレスに属する画素を初期化する初期化手段と、少なくとも前記有効画素領域において、前記初期化手段で初期化してから露光時間が経過した時点で、前記初期化後の行アドレスを走査して当該行アドレスに属する画素を読み出す読み出し手段と、露光時間の切り換え制御を行う切換手段と、前記切換手段は、前記初期化手段が前記有効画素領域内において初期化動作を行っている期間中は、露光時間の切り換え制御をしない一方、前記初期化手段が前記無効画素領域内において初期化動作を行っている期間中において、露光時間の切り換え制御が可能である。
【手続補正書】
【提出日】平成20年11月25日(2008.11.25)
【手続補正１】
【補正対象書類名】特許請求の範囲
【補正対象項目名】全文
【補正方法】変更
【補正の内容】
【特許請求の範囲】
【請求項１】
機器ケースの側面に形成された開口を覆うエラストマー製のカバーが備えられ、前記機器ケースに、前記カバーを前記開口に嵌めた際にその状態を維持するための係合部が設けられる携帯電子機器であって、
前記機器ケースの前記係合部を、当該機器ケースよりも潤滑性のある別部材で構成したことを特徴とする携帯電子機器。
【請求項２】
前記カバーには前記開口内に嵌合する防水パッキンが設けられていることを特徴とする請求項１に記載の携帯電子機器。
【請求項３】
前記カバーと前記係合部とは、異なる材質の樹脂で成形したことを特徴とする請求項１に記載の携帯電子機器。
【請求項４】
前記係合部には穴が形成され、前記機器ケースには突起が設けられ、この突起を前記係合部の穴に圧入することで前記係合部を固定するようにしたことを特徴とする請求項１に記載の携帯電子機器。
【手続補正書】
【提出日】平成21年3月17日(2009.3.17)
【手続補正１】
【補正対象書類名】特許請求の範囲
【補正対象項目名】全文
【補正方法】変更
【補正の内容】
【特許請求の範囲】
【請求項１】
内部アンテナで発生させた電力で動作する電子デバイスに搭載される昇圧回路であって、
上記アンテナの起電力を整流、平滑化した電圧を供給する電源線と、
少なくとも一つの昇圧ノードと、上記電源線と当該昇圧ノード間に接続され制御端子に供給される電圧値に応じて上記電源線と当該昇圧ノード間の導通状態が制御される少なくとも一つのチャージ用トランジスタと、を含む昇圧部と、
上記昇圧部のチャージ用トランジスタの制御端子に接続された出力ノードを有し、昇圧モードに応じた信号が入力されると、クロック信号に応答して上記出力ノードの電位をポンピングして上昇させるチャージポンプ回路と、
上記昇圧ノードに接続された出力端子から処理モードに応じた電圧を供給対象に出力する出力部と、
を有する昇圧回路。
【請求項２】
上記昇圧部は、クロックに応答して昇圧動作を行う機能を有し、
上記チャージポンプ回路は、上記出力ノードの電位と所定電圧とを比較する比較器を有し、比較の結果、当該出力ノードの電位が当該所定電圧より高くなったときに、上記昇圧部へのクロックの入力を許可して昇圧動作を行わせる
請求項１記載の昇圧回路。
【請求項３】
上記所定電圧は、上記アンテナの起電力を整流、平滑化した電圧により生成した基準電圧である
請求項２記載の昇圧回路。
【請求項４】
上記所定電圧は、上記電源線に供給された上記アンテナの起電力を整流、平滑化した電圧により生成した電圧である
請求項２記載の昇圧回路。
【請求項５】
上記比較器は、上記出力ノードの電位を複数の抵抗素子により抵抗分割した電圧と上記所定電圧とを比較する
請求項２から４のいずれか一に記載の昇圧回路。
【請求項６】
上記複数の抵抗素子の抵抗値は、電子デバイスを上記アンテナからの起電力が最も低くなる状態で使用したときの起電力に基づいて設定されている
請求項５記載の昇圧回路。
【請求項７】
上記比較器は、上記出力ノードの電位を複数の抵抗素子により抵抗分割した電圧と、上記電源線の電圧を複数の抵抗素子により抵抗分圧して生成した上記所定電圧とを比較する
請求項２から４のいずれか一に記載の昇圧回路。
【請求項８】
上記複数の抵抗素子の抵抗値は、出力ノードの電位が上記電源線の電圧にトランジスタのしきい値電圧を加算した電圧以下である条件を満足するように設定されている
請求項７記載の昇圧回路。
【請求項９】
上記昇圧部は、
上記昇圧ノードと上記チャージ用トランジスタとをそれぞれ複数有し、
上記複数のチャージトランジスタは対応する昇圧ノードとそれぞれ接続され、
各昇圧ノード間はそれぞれダイオード接続された電圧伝達用トランジスタにより接続され、
上記各昇圧ノードには、それぞれクロックに応答してポンピングを行うポンピング用キャパシタが接続されている
請求項２から８のいずれか一に記載の昇圧回路。
【請求項１０】
上記昇圧部は、上記昇圧ノードと上記チャージ用トランジスタとはそれぞれ一つであり、
上記チャージポンプ回路は、上記出力ノードの電位が所望の昇圧電圧にトランジスタのしきい値電圧を加算した電位に達するとポンピング動作を停止する
請求項１記載の昇圧回路。
【請求項１１】
上記チャージポンプ回路は、
昇圧ノードと、
上記昇圧ノードと上記出力ノードとを接続するダイオード接続されたトランジスタと、
上記電源線と上記昇圧ノード間に接続され、上記昇圧モードに応じた信号電位により導通するトランジスタと、
上記昇圧ノードに接続され、クロックに応答してポンピングを行うポンピング用キャパシタと、を有し、
上記出力ノードが所定電位に達すると上記クロックの供給を停止してポンピング動作を停止する
請求項１から１０のいずれか一に記載の昇圧回路。
【請求項１２】
内部アンテナで発生させた電力で動作するＩＣカードであって、
上記アンテナの起電力を整流、平滑化する回路と、
上記整流、平滑化された電圧を定電圧化する定電圧化回路と、
上記定電圧化回路の定電圧により駆動し、上記定電圧より高い電圧で動作する昇圧モードを含む回路と、を少なくとも有し、
上記昇圧モードを含む回路は、上記整流、平滑化された電圧を供給する電源線が接続された昇圧回路を含み、
上記昇圧回路は、
少なくとも一つの昇圧ノードと、上記電源線と当該昇圧ノード間に接続され制御端子に供給される電圧値に応じて上記電源線と当該昇圧ノード間の導通状態が制御される少なくとも一つのチャージ用トランジスタと、を含む昇圧部と、
上記昇圧部のチャージ用トランジスタの制御端子に接続された出力ノードを有し、昇圧モードに応じた信号が入力されると、クロック信号に応答して上記出力ノードの電位をポンピングして上昇させるチャージポンプ回路と、
上記昇圧ノードに接続された出力端子から処理モードに応じた電圧を供給対象に出力する出力部と、を有する
ＩＣカード。
【請求項１３】
上記昇圧モードを含む回路は、不揮発性メモリであり、上記昇圧モードはデータの書き換えまたは／および消去動作である
請求項１２記載のＩＣカード。
【請求項１４】
上記昇圧部は、クロックに応答して昇圧動作を行う機能を有し、
上記チャージポンプ回路は、上記出力ノードの電位と所定電圧とを比較する比較器を有し、比較の結果、当該出力ノードの電位が当該所定電圧より高くなったときに、上記昇圧部へのクロックの入力を許可して昇圧動作を行わせる
請求項１２または１３記載のＩＣカード。
【請求項１５】
上記所定電圧は、上記アンテナの起電力を整流、平滑化した電圧により生成した基準電圧である
請求項１４記載のＩＣカード。
【請求項１６】
上記所定電圧は、上記電源線に供給された上記アンテナの起電力を整流、平滑化した電圧により生成した電圧である
請求項１４記載のＩＣカード。
【請求項１７】
上記比較器は、上記出力ノードの電位を複数の抵抗素子により抵抗分割した電圧と上記所定電圧とを比較する
請求項１４から１６のいずれか一に記載のＩＣカード。
【請求項１８】
上記複数の抵抗素子の抵抗値は、電子デバイスを上記アンテナからの起電力が最も低くなる状態で使用したときの起電力に基づいて設定されている
請求項１７記載のＩＣカード。
【請求項１９】
上記比較器は、上記出力ノードの電位を複数の抵抗素子により抵抗分割した電圧と、上記電源線の電圧を複数の抵抗素子により抵抗分圧して生成した上記所定電圧とを比較する
請求項１４から１６のいずれか一に記載のＩＣカード。
【手続補正書】
【提出日】平成20年12月10日(2008.12.10)
【手続補正１】
【補正対象書類名】特許請求の範囲
【補正対象項目名】全文
【補正方法】変更
【補正の内容】
【特許請求の範囲】
【請求項１】
非接触データ通信を行うためのループコイルアンテナを有するデータ通信装置において、
前記ループコイルアンテナを筐体の内面に配置し、且つその上から枠状の部材で固定したことを特徴とするデータ通信装置。
【請求項２】
前記筐体には、電池を収納するための凹部が形成されており、この凹部の周囲に前記ループコイルアンテナが配置されることを特徴とする請求項１に記載のデータ通信装置。
【請求項３】
前記枠状の部材は、ループコイルアンテナの上に重ねた状態で、前記筐体に係合して固定状態に保持されることを特徴とする請求項２に記載のデータ通信装置。
【請求項４】
前記枠状の部材には他の部品を装着する装着部が形成されることを特徴とする請求項１に記載のデータ通信装置。
【手続補正書】
【提出日】平成21年8月13日(2009.8.13)
【手続補正１】
【補正対象書類名】特許請求の範囲
【補正対象項目名】全文
【補正方法】変更
【補正の内容】
【特許請求の範囲】
【請求項１】
処理の対象となる処理対象画素を含む画像の属性を判定する画像処理装置であって、
前記処理対象画素を含む予め定められた大きさの画像領域を抽出する抽出手段と、
前記画像領域内に含まれる画素の信号値から、前記処理対象画素に関する変動量を算出する変動量算出手段と、
算出した前記変動量に応じた閾値を用いて、前記画像領域内の画素の信号値の差分を、３値以上にＮ値化するＮ値化手段と、
前記Ｎ値化の結果としてのＮ値化データを解析することにより、前記処理対象画素の属性を判定する判定手段と、
を備えることを特徴とする画像処理装置。
【請求項２】
前記判定手段は、前記Ｎ値化データを解析して得た変動回数を用いて、前記画像の属性を判定することを特徴とする請求項１に記載の画像処理装置。
【請求項３】
前記Ｎ値化データは、０を中心とする複数の値から構成され、前記変動回数は、前記画像領域中の前記処理対象画素を含む画素列上に並んだ複数画素の前記Ｎ値化データにおける符号変化回数であることを特徴とする請求項２に記載の画像処理装置。
【請求項４】
前記Ｎ値化手段は、３値化を行なうことを特徴とする請求項１に記載の画像処理装置。
【請求項５】
前記Ｎ値化手段は、前記変動量が大きい場合には、前記Ｎ値化手段で０になりやすいように、第１、第２閾値を決定し、前記変動量が小さい場合には、前記Ｎ値化手段で０になりにくいように前記第１、第２閾値を決定し、前記画像領域内において前記処理対象画素を含む画素列に含まれる画素間の信号値の差分を、前記第１、第２閾値を用いて、−１、０、１の３つの値に３値化することを特徴とする請求項１に記載の画像処理装置。
【請求項６】
前記変動量算出手段が算出する前記変動量は、前記処理対象画素の周辺画素の、画素値の差分の最大値であることを特徴とする請求項１に記載の画像処理装置。
【請求項７】
前記Ｎ値化データから、前記画像領域における前記変動回数を算出する変動回数算出手段を更に有し、
前記判定手段は、前記変動量と前記変動回数とを用いて、前記処理対象画素の属性を判定することを特徴とする請求項１に記載の画像処理装置。
【請求項８】
前記Ｎ値化手段は、前記画像領域内において前記処理対象画素を含む画素列の信号値の差分を、前記第１、第２閾値を用いて、−１、０、１の３つの値のいずれかに３値化することで、３値化データを生成し、
前記変動回数算出手段は、前記画素列の前記３値化データがゼロを交差する回数を前記変動回数として算出することを特徴とする請求項７に記載の画像処理装置。
【請求項９】
前記判定手段は、前記変動回数が、第３閾値以下の場合は太線、前記第３閾値より大きく第４閾値以下の場合は細線、前記第４閾値より大きい場合は網点として、前記処理対象画素の属性を判定することを特徴とする請求項１に記載の画像処理装置。
【請求項１０】
前記判定手段は、前記変動量が第５閾値以上の場合は、前記処理対象画素の属性を写真と判定することを特徴とする請求項１に記載の画像処理装置。
【請求項１１】
前記変動量から画像の補正処理に関する補正強度を決定する補正強度決定手段と、
前記補正強度決定手段により決定された前記補正強度に基づいて、画像補正を実行する画像補正手段と、
を更に有することを特徴とする請求項１に記載の画像処理装置。
【請求項１２】
前記補正処理は、フィルタによるエッジ強調処理、置換処理、無彩色化処理の少なくともいずれか一つを含むことを特徴とする請求項１１に記載の画像処理装置。
【請求項１３】
処理の対象となる処理対象画素を含む画像の属性を判定する画像処理装置が行う画像処理方法であって、
抽出手段が、前記処理対象画素を含む予め定められた大きさの画像領域を抽出する抽出ステップと、
変動量算出手段が、前記画像領域内に含まれる画素の信号値から、前記処理対象画素に関する変動量を算出する変動量算出ステップと、
閾値決定手段が、算出した前記変動量に応じて、第１及び第２閾値を決定する閾値決定ステップと、
Ｎ値化手段が、決定した前記第１及び第２閾値を用いて、前記画像領域内の画素の信号値の差分を、３値以上にＮ値化するＮ値化ステップと、
判定手段が、前記Ｎ値化の結果としてのＮ値化データを解析することにより、前記処理対象画素の属性を判定する判定ステップと、
を含むことを特徴とする画像処理方法。
【請求項１４】
処理の対象となる処理対象画素を含む画像の属性を判定する画像処理プログラムであって、画像処理装置が、該画像処理プログラムを実行することにより、
前記処理対象画素を含む予め定められた大きさの画像領域を抽出する抽出ステップと、
前記画像領域内に含まれる画素の信号値から、前記処理対象画素に関する変動量を算出する変動量算出ステップと、
算出した前記変動量に応じて、第１及び第２閾値を決定する閾値決定ステップと、
決定した前記第１及び第２閾値を用いて、前記画像領域内の画素の信号値の差分を、３値以上にＮ値化するＮ値化ステップと、
前記Ｎ値化の結果としてのＮ値化データを解析することにより、前記処理対象画素の属性を判定する判定ステップと、
を実現することを特徴とする画像処理プログラム。
【手続補正書】
【提出日】平成21年6月29日(2009.6.29)
【手続補正１】
【補正対象書類名】特許請求の範囲
【補正対象項目名】全文
【補正方法】変更
【補正の内容】
【特許請求の範囲】
【請求項１】
ネットワークインタフェースを有し、画像を入力するジョブに基づき生成した画像を出力する画像出力装置であって、
新規ジョブを受信した場合、当該ジョブに基づき生成した画像データを記憶手段に登録する登録手段と、
登録した画像データと、当該登録した画像を識別するための識別情報を記述しジョブが入力されたことを示す入力ログ情報とを、ネットワーク上のジョブログ管理サーバに登録するために送信する第１の送信手段と、
前記記憶手段に登録された画像データの出力要求を入力して出力処理を行なう場合、出力した画像を識別する識別情報を記述した出力ログ情報を、前記ジョブログ管理サーバに登録するために送信する第２の送信手段と、
前記第２の送信手段で送信した結果、前記ジョブログ管理サーバから、識別情報で示される画像データの要求を受信した場合、前記記憶手段内の前記識別情報で示される画像データを、前記ジョブログ管理サーバに登録するため、送信する第３の送信手段と、
を備えることを特徴とする画像出力装置。
【請求項２】
前記第１、第３の送信手段は、画像データを予め設定された解像度以下に変換してから送信することを特徴とする請求項１に記載の画像出力装置。
【請求項３】
前記出力は、印刷、ファクシミリ送信を含むことを特徴とする請求項１又は２に記載の画像出力装置。
【請求項４】
前記出力要求は、操作パネルから入力されることを特徴とする請求項１又は２に記載の画像出力装置。
【請求項５】
前記画像出力装置は、
前記記憶手段に登録されている画像データの削除指示を受け付ける削除指示受付手段と、
前記ジョブログ管理サーバに送信されるまでの間、前記記憶手段に記憶される前記入力ログ情報及び前記出力ログ情報に記述された情報を検索する検索手段と、
前記削除指示受付手段により画像データの削除指示を受け付けた場合に、該画像データを示す識別情報と同一の識別情報が記述された前記出力ログ情報を検索手段により検索し、同一の識別情報が記述された前記出力ログ情報が存在しない場合には当該画像データを削除し、存在する場合には当該画像データの削除を保留する削除制御手段と、
をさらに備えることを特徴とする請求項１乃至４の何れか一項に記載の画像出力装置。
【請求項６】
ネットワークインタフェースを有し、画像を入力するジョブに基づき生成した画像を出力する画像出力装置の制御方法であって、
新規ジョブを受信した場合、当該ジョブに基づき生成した画像データを記憶手段に登録する登録工程と、
登録した画像データと、当該登録した画像を識別するための識別情報を記述しジョブが入力されたことを示す入力ログ情報とを、ネットワーク上のジョブログ管理サーバに登録するために送信する第１の送信工程と、
前記記憶手段に登録された画像データの出力要求を入力して出力処理を行なう場合、出力した画像を識別する識別情報を記述した出力ログ情報を、前記ジョブログ管理サーバに登録するために送信する第２の送信工程と、
前記第２の送信工程で送信した結果、前記ジョブログ管理サーバから、識別情報で示される画像データの要求を受信した場合、前記記憶手段内の前記識別情報で示される画像データを、前記ジョブログ管理サーバに登録するため、送信する第３の送信工程と、
を備えることを特徴とする制御方法。
【請求項７】
ネットワークインタフェースを有し、画像を入力するジョブに基づき生成した画像を出力する画像出力装置を制御するためのプログラムであって、
新規ジョブを受信した場合、当該ジョブに基づき生成した画像データを記憶手段に登録する登録工程と、
登録した画像データと、当該登録した画像を識別するための識別情報を記述しジョブが入力されたことを示す入力ログ情報とを、ネットワーク上のジョブログ管理サーバに登録するために送信する第１の送信工程と、
前記記憶手段に登録された画像データの出力要求を入力して出力処理を行なう場合、出力した画像を識別する識別情報を記述した出力ログ情報を、前記ジョブログ管理サーバに登録するために送信する第２の送信工程と、
前記第２の送信工程で送信した結果、前記ジョブログ管理サーバから、識別情報で示される画像データの要求を受信した場合、前記記憶手段内の前記識別情報で示される画像データを、前記ジョブログ管理サーバに登録するため、送信する第３の送信工程と、
をコンピュータに実行させるためのプログラム。
【請求項８】
画像を入力するジョブに基づき生成した画像を出力する画像出力装置、および、該画像出力装置で処理したジョブのログを管理するジョブログ管理サーバを含むデジタル文書管理システムであって、
前記画像出力装置は、
新規ジョブを受信した場合、当該ジョブに基づき生成した画像データを記憶手段に登録する登録手段と、
登録した画像データと、当該登録した画像を識別するための識別情報を記述しジョブが入力されたことを示す入力ログ情報とを、前記ジョブログ管理サーバに登録するために送信する第１の送信手段と、
前記記憶手段に登録された画像データの出力要求を入力して出力処理を行なう場合、出力した画像を識別する識別情報を記述した出力ログ情報を、前記ジョブログ管理サーバに登録するために送信する第２の送信手段と、
前記第２の送信手段で送信した結果、前記ジョブログ管理サーバから、識別情報で示される画像データの要求を受信した場合、前記記憶手段内の前記識別情報で示される画像データを、前記ジョブログ管理サーバに登録するため、送信する第３の送信手段と、
を備えることを特徴とするデジタル文書管理システム。
【手続補正２】
【補正対象書類名】明細書
【補正対象項目名】発明の名称
【補正方法】変更
【補正の内容】
【発明の名称】画像出力装置、画像出力装置の制御方法及びプログラム、デジタル文書管理システム
【手続補正３】
【補正対象書類名】明細書
【補正対象項目名】００１２
【補正方法】変更
【補正の内容】
【００１２】
上述した問題点の少なくとも１つを解決するため、本発明の画像出力装置は以下の構成を備える。すなわち、ネットワークインタフェースを有し画像を入力するジョブに基づき生成した画像を出力する画像出力装置であって、新規ジョブを受信した場合当該ジョブに基づき生成した画像データを記憶手段に登録する登録手段と、登録した画像データと当該登録した画像を識別するための識別情報を記述しジョブが入力されたことを示す入力ログ情報とをネットワーク上のジョブログ管理サーバに登録するために送信する第１の送信手段と、記憶手段に登録された画像データの出力要求を入力して出力処理を行なう場合、出力した画像を識別する識別情報を記述した出力ログ情報を、ジョブログ管理サーバに登録するために送信する第２の送信手段と、第２の送信手段で送信した結果、ジョブログ管理サーバから、識別情報で示される画像データの要求を受信した場合、記憶手段内の識別情報で示される画像データを、ジョブログ管理サーバに登録するため、送信する第３の送信手段とを備える。
【手続補正書】
【提出日】平成21年6月26日(2009.6.26)
【手続補正１】
【補正対象書類名】特許請求の範囲
【補正対象項目名】全文
【補正方法】変更
【補正の内容】
【特許請求の範囲】
【請求項１】
被写体像を光電変換する撮像素子と、
前記撮像素子により得られた画像信号から、被写体である人物の顔を検出する顔検出手段と、
撮影モードを設定する撮影モード設定手段と、
前記顔検出手段により検出された人物の顔から前記撮像素子上に投影された顔の大きさに基づいて主たる被写体を判別すると共に、前記撮影モード設定手段により設定された撮影モードに応じて、前記主たる被写体と判別するための前記顔の大きさの基準を変更する、主被写体判別手段と、
を具備することを特徴とする撮像装置。
【請求項２】
前記顔検出手段により検出された顔までの距離を検出する距離検出手段と、該距離検出手段により検出された顔までの距離と、前記撮像素子上に投影された顔の大きさとに基づいて被写体である人物の実際の顔の大きさを算出する演算手段と、をさらに具備することを特徴とする請求項１に記載の撮像装置。
【請求項３】
前記主被写体判別手段は、前記演算手段により算出された人物の実際の顔の大きさに基づいて、主たる被写体を判別することを特徴とする請求項２に記載の撮像装置。
【請求項４】
前記主被写体判別手段は、前記演算手段により算出された人物の実際の顔の大きさが最小である被写体、あるいは、子供とみなせる大きさの被写体を主たる被写体として判別することを特徴とする請求項３に記載の撮像装置。
【請求項５】
前記主被写体判別手段により判別された主たる被写体に対応する焦点検出枠を用いて前記被写体像の焦点検出を行う焦点検出手段をさらに具備することを特徴とする請求項１乃至４のいずれか１項に記載の撮像装置。
【請求項６】
被写体像を光電変換する撮像素子を備える撮像装置を制御する方法であって、
前記撮像素子により得られた画像信号から、被写体である人物の顔を検出する顔検出工程と、
撮影モードを設定する撮影モード設定工程と、
前記顔検出工程において検出された人物の顔から前記撮像素子上に投影された顔の大きさに基づいて主たる被写体を判別すると共に、前記撮影モード設定工程において設定された撮影モードに応じて、前記主たる被写体と判別するための前記顔の大きさの基準を変更する、主被写体判別工程と、
を具備することを特徴とする撮像装置の制御方法。
【請求項７】
請求項６に記載の制御方法をコンピュータに実行させるためのプログラム。
【請求項８】
請求項７に記載のプログラムを記憶したコンピュータ読み取り可能な記憶媒体。
【手続補正２】
【補正対象書類名】明細書
【補正対象項目名】０００８
【補正方法】変更
【補正の内容】
【０００８】
上述した課題を解決し、目的を達成するために、本発明に係わる撮像装置は、被写体像を光電変換する撮像素子と、前記撮像素子により得られた画像信号から、被写体である人物の顔を検出する顔検出手段と、撮影モードを設定する撮影モード設定手段と、前記顔検出手段により検出された人物の顔から前記撮像素子上に投影された顔の大きさに基づいて主たる被写体を判別すると共に、前記撮影モード設定手段により設定された撮影モードに応じて、前記主たる被写体と判別するための前記顔の大きさの基準を変更する、主被写体判別手段と、を具備することを特徴とする。
【手続補正３】
【補正対象書類名】明細書
【補正対象項目名】０００９
【補正方法】変更
【補正の内容】
【０００９】
また、本発明に係わる撮像装置の制御方法は、被写体像を光電変換する撮像素子を備える撮像装置を制御する方法であって、前記撮像素子により得られた画像信号から、被写体である人物の顔を検出する顔検出工程と、撮影モードを設定する撮影モード設定工程と、前記顔検出工程において検出された人物の顔から前記撮像素子上に投影された顔の大きさに基づいて主たる被写体を判別すると共に、前記撮影モード設定工程において設定された撮影モードに応じて、前記主たる被写体と判別するための前記顔の大きさの基準を変更する、主被写体判別工程と、を具備することを特徴とする。
【手続補正書】
【提出日】平成21年8月13日(2009.8.13)
【手続補正１】
【補正対象書類名】特許請求の範囲
【補正対象項目名】全文
【補正方法】変更
【補正の内容】
【特許請求の範囲】
【請求項１】
複数色の画像信号で構成される画像に補正処理を施す画像処理装置において、
処理対象画素を含む画像領域を抽出する抽出手段と、
前記画像領域に含まれる画素の複数色に対応する信号値から１つの代表信号値を生成する生成手段と、
前記代表信号値に基づいて、前記処理対象画素に関する特徴量を算出する特徴量算出手段と、
算出した前記特徴量に基づいて、前記複数色で共通の置換候補画素を前記画像領域内から選択する手段と、
前記処理対象画素の信号値及び前記置換候補画素の信号値から算出した新規画素値で前記処理対象画素の信号値を置換する手段と、
を有することを特徴とする画像処理装置。
【請求項２】
前記特徴量算出手段は、前記特徴量として、前記代表信号値を一次微分した値と前記代表信号値を二次微分した値を算出することを特徴とする請求項１に記載の画像処理装置。
【請求項３】
前記複数色の画像信号とはＲＧＢ信号であることを特徴とする請求項１に記載の画像処理装置。
【請求項４】
前記複数色の画像信号とは、明度と色差成分を含む信号であることを特徴とする請求項１に記載の画像処理装置。
【請求項５】
前記生成手段は、前記代表信号値を、輝度をあらわす信号値から生成することを特徴とする請求項１に記載の画像処理装置。
【請求項６】
前記生成手段は、前記代表信号値を、前記複数色の画像信号のうちの一つから生成することを特徴とする請求項１に記載の画像処理装置。
【請求項７】
複数色の画像信号で構成される画像に補正処理を施す画像処理装置において、
処理対象画素を含む画像領域を抽出する抽出手段と、
前記画像領域内でエッジ方向を決定するエッジ方向決定手段と、
前記エッジ方向に含まれる画素群から、置換候補画素を選択する選択手段と、
前記処理対象画素の信号値及び前記置換候補画素の信号値から算出した新規画素値で前記処理対象画素の信号値を置換する手段と、
を有することを特徴とする画像処理装置。
【請求項８】
複数色の画像信号で構成される画像に補正処理を施す画像処理装置において、
処理対象画素を含む画像領域を抽出する抽出手段と、
前記画像領域に含まれる画素の複数色に対応する信号値から１つの代表信号値を生成する生成手段と、
前記代表信号値に基づいて、前記処理対象画素に関する特徴量を算出する特徴量算出手段と、
前記画像領域内で前記代表信号値に基づいてエッジ方向を決定するエッジ方向決定手段と、
算出した前記特徴量に基づいて、前記エッジ方向に含まれる画素群から、前記複数色で共通の置換候補画素を選択する選択手段と、
前記処理対象画素の信号値及び前記置換候補画素の信号値から算出した新規画素値で前記処理対象画素の信号値を置換する手段と、
を有することを特徴とする画像処理装置。
【請求項９】
前記画像領域に含まれる画素の複数色に対応する信号値から１つの代表信号値を生成する生成手段を更に備え、
前記エッジ方向決定手段は、前記代表信号値を一次微分した値を用いてエッジ方向を決定することを特徴とする請求項７に記載の画像処理装置。
【請求項１０】
前記選択手段は、前記処理対象画素の信号値を二次微分した二次微分値が正なら、信号値が最小の画素を前記置換候補画素として選択し、前記二次微分値が負なら、信号値が最大の画素を前記置換候補画素として選択することを特徴とする請求項７または８に記載の画像処理装置。
【請求項１１】
前記二次微分値が０の場合は、前記処理対象画素に隣接する画素の信号値を二次微分した値の符号を参照して、信号値が最小または最大の画素を選択することを特徴とする請求項１０に記載の画像処理装置。
【請求項１２】
前記エッジ方向決定手段は、前記画像領域内において前記処理対象画素を含む複数方向の画素列の信号値の一次微分値を比較し、該一次微分値が最大の方向を前記エッジ方向と決定することを特徴とする請求項７又は８に記載の画像処理装置。
【請求項１３】
複数色の画像信号で構成される画像に補正処理を施す画像処理装置が行う画像処理方法であって、
抽出手段が、処理対象画素を含む画像領域を抽出する抽出工程と、
生成手段が、前記画像領域に含まれる画素の複数色に対応する信号値から１つの代表信号値を生成する生成工程と、
特徴量算出手段が、前記代表信号値に基づいて、前記処理対象画素に関する特徴量を算出する特徴量算出工程と、
選択手段が、算出した前記特徴量に基づいて、前記複数色で共通の置換候補画素を前記画像領域内から選択する工程と、
置換手段が、前記処理対象画素の信号値及び前記置換候補画素の信号値から算出した新規画素値で前記処理対象画素の信号値を置換する工程と、
を有することを特徴とする画像処理方法。
【請求項１４】
複数色の画像信号で構成される画像に補正処理を施す画像処理装置が行う画像処理方法であって、
抽出手段が、処理対象画素を含む画像領域を抽出する抽出工程と、
生成手段が、前記画像領域に含まれる画素の複数色に対応する信号値から１つの代表信号値を生成する生成工程と、
特徴量算出手段が、前記代表信号値に基づいて、前記処理対象画素に関する特徴量を算出する特徴量算出工程と、
エッジ方向決定手段が、前記画像領域内で前記代表信号値に基づいてエッジ方向を決定するエッジ方向決定工程と、
選択手段が、算出した前記特徴量に基づいて、前記エッジ方向に含まれる画素群から、前記複数色で共通の置換候補画素を選択する選択工程と、
置換手段が、前記処理対象画素の信号値及び前記置換候補画素の信号値から算出した新規画素値で前記処理対象画素の信号値を置換する工程と、
を有することを特徴とする画像処理方法。
【請求項１５】
複数色の画像信号で構成される画像に補正処理を施す画像処理プログラムであって、
コンピュータに、
処理対象画素を含む画像領域を抽出する抽出工程と、
前記画像領域に含まれる画素の複数色に対応する信号値から１つの代表信号値を生成する生成工程と、
前記代表信号値に基づいて、前記処理対象画素に関する特徴量を算出する特徴量算出工程と、
算出した前記特徴量に基づいて、前記複数色で共通の置換候補画素を前記画像領域内から選択する工程と、
前記処理対象画素の信号値及び前記置換候補画素の信号値から算出した新規画素値で前記処理対象画素の信号値を置換する工程と、
を実行させることを特徴とする画像処理プログラム。
【請求項１６】
複数色の画像信号で構成される画像に補正処理を施す画像処理プログラムであって、
コンピュータに、
処理対象画素を含む画像領域を抽出する抽出工程と、
前記画像領域に含まれる画素の複数色に対応する信号値から１つの代表信号値を生成する生成工程と、
前記代表信号値に基づいて、前記処理対象画素に関する特徴量を算出する特徴量算出工程と、
前記画像領域内で前記代表信号値に基づいてエッジ方向を決定するエッジ方向決定工程と、
算出した前記特徴量に基づいて、前記エッジ方向に含まれる画素群から、前記複数色で共通の置換候補画素を選択する選択工程と、
前記処理対象画素の信号値及び前記置換候補画素の信号値から算出した新規画素値で前記処理対象画素の信号値を置換する工程と、
を実行させることを特徴とする画像処理プログラム。